(57)【要約】【課題】明るく低消費電力の液晶装置及びそれを用いた頭部装着型表示装置を提供する。【解決手段】本発明の液晶装置１は、互いに対向する第１基板１０及び第２基板２０と、第１基板１０と第２基板２０との間に設けられた液晶層３０と、第１基板１０の液晶層３０が設けられた側と反対の側に配置された導光板５０と、導光板５０の端面に光を入射させる光源４０と、導光板５０の液晶層３０が設けられた側と反対の側に配置され、液晶層３０が設けられた側からの光を反射するとともに液晶層３０が設けられた側と反対の側から入射する外光を透過する第１光透過型反射板６０と、を備えることを特徴とする。【選択図】図１
2010276816.tif 000002
【特許請求の範囲】
【請求項１】
互いに対向する第１基板及び第２基板と、
前記第１基板と前記第２基板との間に設けられた液晶層と、
前記第１基板の前記液晶層が設けられた側と反対の側に配置された導光板と、
前記導光板の端面に光を入射させる光源と、
前記導光板の前記液晶層が設けられた側と反対の側に配置され、前記液晶層が設けられた側からの光を反射するとともに前記液晶層が設けられた側と反対の側から入射する外光を透過する第１光透過型反射板と、
を備えることを特徴とする液晶装置。
【請求項２】
前記導光板の光出射面側に設けられ、前記光源からの光と前記外光との少なくとも一方の光を集光する集光板を備えることを特徴とする請求項１に記載の液晶装置。
【請求項３】
請求項１または２に記載の液晶装置を備え、観察者の頭部に装着されて画像表示を行うことを特徴とする頭部装着型表示装置。
【請求項４】
前記液晶装置から出射された光を前記観察者の眼に向けて出射するレンズを備え、
前記レンズは、光を透過または反射する光学作用面を少なくとも３面含み、少なくとも３つの前記光学作用面のうち、プリズム内の光を反射する少なくとも１つの面の形状が、その面内外に回転対称軸を有さない回転非対称な面にて形成される自由曲面プリズムからなることを特徴とする請求項３に記載の頭部装着型表示装置。
【請求項５】
前記液晶装置から出射された光を透過するレンズと、
前記レンズの光出射面側に設けられ、前記レンズから出射された光の方向を前記観察者の眼に向けて反射するとともに前記観察者の眼に向かう方向と平行な方向から入射する外光を透過する第２光透過型反射板と、
を備えることを特徴とする請求項３に記載の頭部装着型表示装置。
【発明の詳細な説明】
【技術分野】
【０００１】
本発明は、液晶装置及びそれを用いた頭部装着型表示装置に関するものである。
【背景技術】
【０００２】
近年、ヘッドマウントディスプレイ（頭部装着型表示装置、Ｈｅａｄ  Ｍｏｕｎｔｅｄ  Ｄｉｓｐｌａｙ；ＨＭＤ）が普及している。一般に、ＨＭＤに搭載されるディスプレイとしては、液晶装置が用いられる。液晶装置はそれ自体が発光しないことから、バックライトが必須の構成要素となっている。このため、ＨＭＤにおいて高輝度の画像表示が求められる程、液晶装置のバックライトに多くの電力を供給する必要があり消費電力が大きくなる。
【０００３】
バックライトの消費電力を小さくするためには、バックライトの導光板中を伝播した光を効率よく液晶パネルに入射させる必要がある。例えば特許文献１では、液晶パネルに設けられたバックライトの背面に光を反射する反射層を配置することで、バックライトからの光や外光を反射させて、光の利用効率に優れた低消費電力の液晶装置を開示している。
【先行技術文献】
【特許文献】
【０００４】
【特許文献１】特開２００４−３０９６１１号公報
【発明の概要】
【発明が解決しようとする課題】
【０００５】
特許文献１の技術にあっては、バックライトの背面に光を反射する反射層を厚く形成することで、光源から導光板に入射した光が外部に漏れないよう確実に反射させて光の損失を抑えている。しかしながら、バックライトの背面に反射層を配置したとしても、光の利用効率を高めて低消費電力化を図るには限界がある。例えば、ＨＭＤが外の様子を見ることができるシースルー型（Ｓｅｅ-Ｔｈｒｏｕｇｈ）の場合、外の明るさの影響を受けないように十分な光量を確保する必要がある。しかしながら、反射層が光を反射する機能を有しているのみでは、十分に光量を確保できない場合がある。
【０００６】
本発明はこのような事情に鑑みてなされたものであって、明るく低消費電力の液晶装置及びそれを用いた頭部装着型表示装置を提供することを目的とする。
【課題を解決するための手段】
【０００７】
上記の課題を解決するため、本発明の液晶装置は、互いに対向する第１基板及び第２基板と、前記第１基板と前記第２基板との間に設けられた液晶層と、前記第１基板の前記液晶層が設けられた側と反対の側に配置された導光板と、前記導光板の端面に光を入射させる光源と、前記導光板の前記液晶層が設けられた側と反対の側に配置され、前記液晶層が設けられた側からの光を反射するとともに前記液晶層が設けられた側と反対の側から入射する外光を透過する第１光透過型反射板と、を備えることを特徴とする。
【０００８】
この構成によれば、導光板の液晶層が設けられた側と反対の側（バックライトの背面）に、液晶層が設けられた側からの光（バックライトからの光や外光）を反射するとともに液晶層が設けられた側と反対の側から入射する外光を透過する第１光透過型反射板（第１ハーフミラー）が配置されている。つまり、本発明の第１ハーフミラーは、特許文献１に記載の反射層がバックライトからの光や外光を確実に反射するよう厚く形成されているのに対し、反射層を薄く形成することで光を反射する機能だけでなく外光を透過する機能を兼ね備えている。このため、第１ハーフミラーを透過する外光を利用して、明るく低消費電力の液晶装置を得ることができる。例えば、屋外ではバックライトの電源をオフにした状態でも光源として太陽光などの外光を利用して液晶装置の映像を視認することが可能となる。したがって、液晶装置の省電力化を実現することが可能となる。
【０００９】
また、上記液晶装置においては、前記導光板の光出射面側に設けられ、前記光源からの光と前記外光との少なくとも一方の光を集光する集光板を備えていてもよい。
【００１０】
この構成によれば、導光板から出射された光源からの光と外光との少なくとも一方の光の表面反射による損失を抑えることができる。したがって、光の利用効率を格段に高めて低消費電力を確実に図ることができる。
【００１１】
本発明の頭部装着型表示装置は、請求項１または２に記載の液晶装置を備え、観察者の頭部に装着されて画像表示を行うことを特徴とする
【００１２】
この構成によれば、上記の液晶装置を備えているため、明るく低消費電力の頭部装着型表示装置（ＨＭＤ）が提供できる。
【００１３】
また、上記頭部装着型表示装置は、前記液晶装置から出射された光を前記観察者の眼に向けて出射するレンズを備え、前記レンズは、光を透過または反射する光学作用面を少なくとも３面含み、少なくとも３つの前記光学作用面のうち、プリズム内の光を反射する少なくとも１つの面の形状が、その面内外に回転対称軸を有さない回転非対称な面にて形成される自由曲面プリズムからなっていてもよい。
【００１４】
この構成によれば、液晶装置から出射された光（表示画像光）を前記観察者の眼に向けて出射するレンズが自由曲面プリズムからなるので、表示画像光は自由曲面プリズム内の反射面や屈折面により光路が複数回折り曲げられる。例えば、自由曲面プリズムが光学作用面を３面有し、液晶装置の光出射面側から観察者の眼に至る経路において、透過作用のみを有する第１面と、透過と反射の両作用を有する第２面と、反射作用のみを有する第３面と、を有して構成されるとする。すると、液晶装置の表示画像光は、第１面で屈折されてプリズム内に入り、第２面で反射されて第３面に入射し、第３面で反射された表示画像光は第２面で屈折されてプリズムから出て、観察者の眼に向けて出射される。また、プリズム内の光を反射する少なくとも１つの面の形状が、その面内外に回転対称軸を有さない回転非対称な面にて形成されるので、従来の回転対称な面にて形成されるレンズを用いるよりも、少ない部品点数で液晶装置から出射された光の方向を観察者の眼に向けて精度よく変更することができる。したがって、小型化や軽量化を図り、さらに光の方向を精度よく補正できるＨＭＤを得ることが可能となる。
【００１５】
また、上記頭部装着型表示装置は、前記液晶装置から出射された光を透過するレンズと、前記レンズの光出射面側に設けられ、前記レンズから出射された光の方向を前記観察者の眼に向けて反射するとともに前記観察者の眼に向かう方向と平行な方向から入射する外光を透過する第２光透過型反射板と、を備えていてもよい。
【００１６】
この構成によれば、レンズの光出射面側に、レンズから出射された光の方向を観察者の眼に向けて反射するとともに観察者の眼に向かう方向と平行な方向から入射する外光を透過する第２光透過型反射板（第２ハーフミラー）が配置されている。このため、液晶装置がシースルー型のＨＭＤに搭載される場合であっても、外の明るさの影響を受けることのない、明るく低消費電力のＨＭＤを得ることが可能となる。
【図面の簡単な説明】
【００１７】
【図１】本発明の液晶装置を示す模式図である。
【図２】本発明の液晶装置を具備した頭部装着型表示装置を示す模式図である。
【図３】本発明の頭部装着型表示装置の他の形態を示す模式図である。
【発明を実施するための形態】
【００１８】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００１９】
（液晶装置）
（第１実施形態）
図１は本発明の液晶装置１の概略構成を示す模式図である。図１に示すように、液晶装置１は、液晶パネル１００と、バックライト２００と、を具備して構成されている。液晶パネル１００は、互いに対向する素子基板（第１基板）１０及び対向基板（第２基板）２０と、素子基板１０と対向基板２０との間に設けられた液晶層３０と、を含んで構成されている。
【００２０】
一対の基板１０，２０は、シール材（図示略）を介して貼り合わせられ、その内部に液晶層３０が封入されたものとなっている。液晶層３０の液晶モードとしては、ＩＰＳ（Ｉｎ  Ｐｌａｎｅ  Ｓｗｉｔｃｈｉｎｇ）モードやＶＡ（Ｖｅｒｔｉｃａｌ  Ａｌｉｇｎｍｅｎｔ）モードなどの公知のモードを採用することができる。
【００２１】
素子基板１０は、ガラスや石英等の透光性の基板１０Ａから構成されている。また、図示は省略するが、素子基板１０は画素電極に対する電圧印加をスイッチング駆動するＴＦＴ素子を備えている。画素電極は、ＩＴＯ（インジウム錫酸化物）等の透光性且つ導電性の材料にて構成されている。画素電極を覆って、ラビング処理等の配向処理が施された配向膜が形成されており、液晶分子の配向を規制するようになっている。
【００２２】
一方、対向基板２０は、素子基板１０と同様、ガラスや石英等の透光性の基板２０Ａから構成されている。また、図示は省略するが、対向基板２０の液晶層３０側には、カラーフィルターと、ＩＴＯ（インジウム錫酸化物）等の透光性且つ導電性の材料にて構成された共通電極と、配向膜とが順に積層されている。カラーフィルターは、赤（Ｒ）色、緑（Ｇ）色、青（Ｂ）の各色に対応する各色用カラーフィルターを含んで構成されている。
【００２３】
一対の基板１０，２０の外側（液晶層３０と反対側）には、それぞれ偏光板１１，２１が設けられている。これら偏光板１１，２１は、互いの光透過軸が略直交した状態に形成されている。
【００２４】
バックライト２００は、素子基板１０の液晶層３０が設けられた側と反対の側に配置されている。バックライト２００は、光源４０と、導光板５０と、第１ハーフミラー（第１光透過型反射板）６０と、集光板７０と、を具備して構成されている。
【００２５】
光源４０は、赤（Ｒ）色、緑（Ｇ）色、青（Ｂ）色の各色に対応するＬＥＤを備えて構成されている。ただし、広く用いられている青色ＬＥＤと黄色蛍光体の組み合わせによる疑似白色でも本発明の効果が変わるものではない。
【００２６】
また、光源４０は、導光板５０の−Ｘ側の端面５１に沿って複数、互いに間隔をあけて配置されている。具体的には、光源４０は導光板５０の端面に沿って互いに等間隔に４つ配置されている。そして、光源４０はそれぞれ＋Ｘ方向に光を発光して、端面５１から導光板５０に対して入射される。
【００２７】
導光板５０は、光源４０から出射された光を液晶パネル１００に導く機能を有するものである。導光板５０としては、例えばアクリル樹脂、ポリカーボネート樹脂、ポリスチレン樹脂等の透明性に優れた樹脂又はガラスを所定の形状に加工したものを用いることができる。なかでもアクリル樹脂を用いるのが軽量性、透明性の点で好ましい。
【００２８】
また、導光板５０の−Ｚ側に位置する底面には、光源４０からの光の入射方向と略直交するＹ軸方向に延びる溝状の凹部５２が、光源４０からの入射光が導光板５０から出射する際の出射特性（例えば、液晶パネル１００に向けて出射する出射光の指向性）を調整するように形成されている。この凹部５２は、光源４０からの光の進行方向（Ｘ軸方向）に沿って互いに間隔をあけて複数配列されている。
【００２９】
また、導光板５０の＋Ｚ側に位置する上面には、光源４０からの光の入射方向と略平行なＸ軸方向に延びる断面半円形状の凸部５３がストライプ状に複数配列されている。これにより、導光板５０は、凸部５３の延在方向と直交する方向に光を集光する機能も有している。
【００３０】
第１ハーフミラー６０は、導光板５０の液晶層３０が設けられた側と反対の側（バックライト２００の背面）に配置されている。第１ハーフミラー６０は、例えば透明なガラス基板の外面に錫や銀などの金属を蒸着させたり、金属薄膜を薄く形成したりする方法により半透明にされたものである。このようにして、第１ハーフミラー６０は、液晶層３０が設けられた側からの光（バックライト２００からの光や外光）を反射するとともに液晶層３０が設けられた側と反対の側から入射する外光（例えば太陽光）を透過するようになっている。
【００３１】
つまり、本発明の第１ハーフミラー６０は、特許文献１に記載の反射層がバックライトからの光や外光を確実に反射するよう厚く形成されているのに対し、反射層（金属薄膜）を薄く形成する方法などにより半透明になっている。このように、第１ハーフミラー６０は、半透明に形成されることで、光を反射する機能だけでなく外光を透過する機能を兼ね備えている。このため、第１ハーフミラー６０を透過する外光を利用して、低消費電力を図ることができる。例えば、屋外ではバックライト２００の電源をオフにした状態でも光源として太陽光などの外光を利用して液晶装置１の映像を視認することが可能となる。
【００３２】
集光板７０は、導光板５０の光出射面側に設けられている。集光板７０は、導光板５０から出射された光を集光して液晶パネル１００表面へ均等に光を入射させる機能を有するものである。集光板７０の形成材料としては、上記導光板５０と同様、アクリル樹脂、ポリカーボネート樹脂、ポリスチレン樹脂等の透明性に優れた樹脂又はガラスが用いられる。
【００３３】
また、集光板７０の−Ｚ面側に位置する底面には、光源４０からの光の入射方向と略直交するＹ軸方向に延びる断面三角形状の凸部７１がストライプ状に複数配列されている。つまり、集光板７０は、凸部７１の配列方向が上述の導光板５０の凸部５３の配列方向に対して直交するように形成されている。これにより、導光板５０上面を透過して凸部５３の延在方向と直交する方向に集光された光は、集光板７０下面を透過することにより凸部７１の延在方向と直交する方向に集光され、液晶パネル１００に入射する光の指向性がさらに向上する。
【００３４】
本実施形態の液晶装置１によれば、導光板５０の液晶層３０が設けられた側と反対の側（バックライト２００の背面）に、液晶層３０が設けられた側からの光（バックライト２００からの光や外光）を反射するとともに液晶層３０が設けられた側と反対の側から入射する外光を透過する第１ハーフミラー６０が配置されている。つまり、本発明の第１ハーフミラー６０は、特許文献１に記載の反射層がバックライトからの光や外光を確実に反射するよう厚く形成されているのに対し、反射層（金属薄膜）を薄く形成する方法などにより半透明に形成されることで光を反射する機能だけでなく外光を透過する機能を兼ね備えている。このため、第１ハーフミラー６０を透過する外光を利用して、明るく低消費電力の液晶装置１を得ることができる。例えば、屋外ではバックライト２００の電源をオフにした状態でも光源として太陽光などの外光を利用して液晶装置１の映像を視認することが可能となる。したがって、液晶装置１の省電力化を実現することが可能となる。
【００３５】
また、この構成によれば、導光板５０の光出射面側に集光板７０が設けられているので、導光板５０から出射された光源４０からの光と外光との少なくとも一方の光の表面反射による損失を抑えることができる。したがって、光の利用効率を格段に高めて低消費電力を確実に図ることができる。
【００３６】
なお、本実施形態の液晶装置１では、導光板５０上面に光源４０からの光の入射方向と略平行なＸ軸方向に延びる断面三角形状の凸部５３がストライプ状に複数配列され、導光板５０と一体となっているが、これに限らない。例えば、導光板５０の上面に透明なガラス基板を配置して、このガラス基板上面に光源４０からの光の入射方向と略平行なＸ軸方向に延びる断面三角形状の凸部をストライプ状に複数配列し、光を集光する機能を有する部材を導光板５０と別体に形成してもよい。
【００３７】
また、本実施形態の液晶装置１では、第１ハーフミラー６０が透明なガラス基板の外面に錫や銀などの金属を蒸着させたり、反射層（金属薄膜）を薄く形成したりする方法により半透明に形成されているが、これに限らない。例えば、第１ハーフミラー６０が透明なガラス基板を用いずに導光板５０の下面に錫や銀などの金属を直接蒸着させる方法により半透明に形成されていてもよい。
【００３８】
（頭部装着型表示装置）
図２は本発明の液晶装置１を備えたＨＭＤ（頭部装着型表示装置）２の概略構成を示す模式図である。ここで、頭部装着型表示装置とは、観察者の頭部に装着されて画像表示を行うものである。図２に示すように、ＨＭＤ２は、液晶装置１と、液晶装置１から出射された光を観察者の眼３００に向けて出射するレンズ８０と、を具備して構成されている。本実施形態のＨＭＤ２の型としては、装着すると外の様子が見ることができないクローズド型（非透過型）が採用されているが、その他にもビデオシースルー（ビデオ透過型）、光学シースルー（光学透過型）等の透過型を採用することができる。
【００３９】
レンズ８０は、液晶装置１を構成する液晶パネル１００の光出射面に配置されている。このレンズ８０は、光を透過または反射する光学作用面を３面含み、３つの光学作用面のうち、プリズム内の光を反射する２つの面の形状が、その面内外に回転対称軸を有さない回転非対称な面にて形成される自由曲面プリズムからなっている。このため、液晶装置から出射された光（表示画像光）は、自由曲面プリズム内の反射面や屈折面により光路が複数回折り曲げられる。
【００４０】
具体的には、自由曲面プリズムは、液晶装置の光出射面側から観察者の眼に至る経路において、透過作用のみを有する第１面８１と、透過と反射の両作用を有する第２面８２と、反射作用のみを有する第３面８３と、を有して構成されている。これにより、液晶装置１からの表示画像光は、第１面８１で屈折されてプリズム内に入り、第２面８２で反射されて第３面８３に入射し、第３面８３で反射された表示画像光は第２面８２で屈折されてプリズムから出て、観察者の眼３００に向けて出射される。
【００４１】
また、プリズム内の光を反射する第２面８２、第３面８３、の２つの面の形状が、その面内外に回転対称軸を有さない回転非対称な面にて形成されている。このため、従来の回転対称な面にて形成されるレンズを用いるよりも、少ない部品点数（本実施形態では１点）で液晶装置１から出射された光（表示画像光）の方向を観察者の眼３００に向けて精度よく変更することができる。
【００４２】
このような構成より、バックライト２００からの光と外光（太陽光）との少なくとも一方の光が液晶パネル１００に供給されて表示画像光として取り出される。そして、表示画像光は自由曲面プリズムからなるレンズ８０に入射し、そのプリズム内面で複数回折り曲げられて観察者の眼３００に対応する方向に変更される。
【００４３】
例えば、本実施形態のＨＭＤ２を屋外（太陽光下）で使用した場合、２００００Ｌｘの照度が得られる。この得られた照度を用いると、１３０００ｃｄ／ｍ２の光源として利用できる。光源として輝度が１３０００ｃｄ／ｍ２であれば、クローズド型のＨＭＤ２に利用可能な輝度が得られる。
【００４４】
本実施形態のＨＭＤ２によれば、上記の液晶装置１を備えているため、明るく低消費電力のＨＭＤ２が提供できる。
【００４５】
また、この構成によれば、液晶装置１から出射された光（表示画像光）を観察者の眼３００に向けて出射するレンズ８０が自由曲面プリズムからなるので、表示画像光は自由曲面プリズム内の反射面や屈折面により光路が複数回折り曲げられる。また、プリズム内の光を反射する２つの面の形状が、その面内外に回転対称軸を有さない回転非対称な面にて形成されている。このため、従来の回転対称な面にて形成されるレンズを用いるよりも、少ない部品点数で液晶装置１から出射された光の方向を観察者の眼３００に向けて精度よく変更することができる。したがって、小型化や軽量化を図り、さらに光の方向を精度よく補正できるＨＭＤ２を得ることが可能となる。
【００４６】
なお、本実施形態のＨＭＤ２では、レンズ８０は、光を透過または反射する光学作用面を３面含み、３つの光学作用面のうち、プリズム内の光を反射する２つの面の形状が、その面内外に回転対称軸を有さない回転非対称な面にて形成される自由曲面プリズムからなっているが、これに限らない。例えば、光を透過または反射する光学作用面を４面含み、４つの光学作用面のうち、プリズム内の光を反射する３つの面の形状が、その面内外に回転対称軸を有さない回転非対称な面にて形成されていてもよい。すなわち、レンズ８０は、光を透過または反射する光学作用面を少なくとも３面含み、少なくとも３つの光学作用面のうち、プリズム内の光を反射する少なくとも１つの面の形状が、その面内外に回転対称軸を有さない回転非対称な面にて形成されていればよい。
【００４７】
また、図３に示すように、上記の液晶装置１と、液晶装置１から出射された光を透過するレンズ９０と、レンズ９０の光出射面側に設けられ、レンズ９０から出射された光の方向を観察者の眼３００に向けて反射するとともに観察者の眼３００に向かう方向と平行な方向から入射する外光を透過する第２ハーフミラー（第２光透過型反射板）６１と、を備えていてもよい。
【００４８】
図３は、上述のＨＭＤ２と異なる形態のＨＭＤ３の概略構成を示す模式図である。本図は図２に対応した、ＨＭＤ３の概略構成を示した図である。図３に示すように、本実施形態のＨＭＤ３は、上述の自由曲面プリズムからなるレンズ８０に替えて、回転対称な面にて形成されたレンズ９０が用いられている点、レンズ９０の光出射面側に第２ハーフミラー６１が配置されている点、で上述のＨＭＤ２と異なっている。その他の点はＨＭＤ２と同様であるので、図２と同様の要素には同一の符号を付し、詳細な説明は省略する。
【００４９】
図３に示すように、ＨＭＤ３は、上記の液晶装置１と、液晶装置１から出射された光を透過するレンズ９０と、レンズ９０の光出射面側に設けられた第２ハーフミラー（第２光透過型反射板）６１と、を具備して構成されている。ＨＭＤ３の型としては、装着しても外の様子を見ることができる、光学シースルー（光学透過型）が採用されている。
【００５０】
第２ハーフミラー６１は、例えば透明なガラス基板の外面に錫や銀を蒸着させたり、金属薄膜を薄く形成したりする方法により半透明に形成されたものである。このようにして、第２ハーフミラー６１は、レンズ９０から出射された光の方向を観察者の眼３００に向けて反射するとともに観察者の眼３００に向かう方向と平行な方向から入射する外光を透過するようになっている。
【００５１】
このような構成より、バックライト２００からの光と外光（太陽光）との少なくとも一方の光が液晶パネル１００に供給されて表示画像光として取り出されると、この表示画像光はレンズ９０に入射し、レンズ９０を透過して光が第２ハーフミラー６１で観察者の眼３００に向けて反射される。一方、第２ハーフミラー６１が観察者の眼３００に向かう方向と平行な方向から入射する外光を透過するので、外の様子を見ることもできるようになっている。
【００５２】
この構成によれば、レンズ９０の光出射面側に、レンズ９０から出射された光の方向を観察者の眼３００に向けて反射するとともに観察者の眼３００に向かう方向と平行な方向から入射する外光を透過する第２ハーフミラー６１が配置されている。このため、液晶装置１がシースルー型のＨＭＤ３に搭載される場合であっても、外の明るさの影響を受けることのない、明るく低消費電力のＨＭＤ３を得ることが可能となる。
【符号の説明】
【００５３】
１…液晶装置、２，３…ＨＭＤ（頭部装着型表示装置）、１０…素子基板（第１基板）、２０…対向基板（第２基板）、３０…液晶層、４０…光源、５０…導光板、６０…第１ハーフミラー（第１光透過型反射板）、６１…第２ハーフミラー（第２光透過型反射板）、７０…集光板、８０，９０…レンズ、３００…観察者の眼
【図１】
2010276816.tif 000003
【図２】
2010276816.tif 000004
【図３】
2010276816.tif 000005